(57)【特許請求の範囲】
【請求項１】
通信端末であって、
前記通信端末は、船団で漁業を行う各船でセンシングされる情報を各船から受信する情報処理装置と通信可能であり、
前記船団を構成する船は、前記センシングを行うために、前記船の位置を取得する位置情報取得装置と、魚群探知機と、ソナーと、船上の様子を撮影するカメラとのうちの少なくともいずれかを備え、
前記通信端末は、プロセッサと、メモリと、ディスプレイとを備え、
前記プロセッサは、
前記情報処理装置が前記船団を構成する各船から受け付けた前記センシングされる情報を、前記情報処理装置から受信する第１のステップと、
前記受信した情報に基づいて、前記ディスプレイに、前記船団の各船の少なくとも一部について当該船でセンシングされる情報を表示する第２のステップと、
前記ディスプレイに表示される前記船団の各船を指定する操作をユーザから受け付けることにより、当該指定された船について、当該指定された船でセンシングされる情報を表示する第３のステップと、を実行する、通信端末。
【請求項２】
各船でセンシングされた位置情報に基づいて、所定時間帯における各船の航跡を表示する、請求項１に記載の通信端末。
【請求項３】
通信端末であって、
前記通信端末は、船団で漁業を行う各船でセンシングされる情報を各船から受信する情報処理装置と通信可能であり、
前記船団を構成する船は、前記センシングを行うために、前記船の位置を取得する位置情報取得装置と、魚群探知機と、ソナーと、船上の様子を撮影するカメラとのうちの少なくともいずれかを備え、
前記通信端末は、プロセッサと、メモリと、ディスプレイとを備え、
前記プロセッサは、
前記情報処理装置が各船から受け付けた前記センシングされる情報を、前記情報処理装置から受信する第１のステップと、
前記受信した情報に基づいて、前記ディスプレイに、前記船団の各船の少なくとも一部について当該船でセンシングされる情報を表示する第２のステップと、
前記ディスプレイに表示される各船を指定する操作をユーザから受け付けることにより、当該指定された船について、当該指定された船でセンシングされる情報を表示する第３のステップと、を実行し、
各船でセンシングされた位置情報に基づいて、所定時間帯における各船の航跡を表示し、
前記ディスプレイに表示される各船の航跡上の所定ポイントを指定する操作をユーザから受け付けることにより、
当該ポイントに対応する時刻における当該船でセンシングされる情報を表示する、通信端末。
【請求項４】
前記第２のステップにおいて、前記船団を構成する船のうち所定の船を予め指定することにより、当該指定された船について、当該指定された船を識別する情報を、別の船を識別する情報とは異なるように表示する、請求項１または２に記載の通信端末。
【請求項５】
通信端末であって、
前記通信端末は、船団で漁業を行う各船でセンシングされる情報を各船から受信する情報処理装置と通信可能であり、
前記船団を構成する船は、前記センシングを行うために、前記船の位置を取得する位置情報取得装置と、魚群探知機と、ソナーと、船上の様子を撮影するカメラとのうちの少なくともいずれかを備え、
前記通信端末は、プロセッサと、メモリと、ディスプレイとを備え、
前記プロセッサは、
前記情報処理装置が各船から受け付けた前記センシングされる情報を、前記情報処理装置から受信する第１のステップと、
前記受信した情報に基づいて、前記ディスプレイに、前記船団の各船の少なくとも一部について当該船でセンシングされる情報を表示する第２のステップと、
前記ディスプレイに表示される各船を指定する操作をユーザから受け付けることにより、当該指定された船について、当該指定された船でセンシングされる情報を表示する第３のステップと、を実行し、
海図上の所定地点を指定することにより、当該地点を、各船でセンシングされた情報と関連付けられて表示する、通信端末。
【請求項６】
所定の船について、当該船の漁獲記録を作成するための操作をユーザから受け付ける、請求項１に記載の通信端末。
【請求項７】
通信端末であって、
前記通信端末は、船団で漁業を行う各船でセンシングされる情報を各船から受信する情報処理装置と通信可能であり、
前記船団を構成する船は、前記センシングを行うために、前記船の位置を取得する位置情報取得装置と、魚群探知機と、ソナーと、船上の様子を撮影するカメラとのうちの少なくともいずれかを備え、
前記通信端末は、プロセッサと、メモリと、ディスプレイとを備え、
前記プロセッサは、
前記情報処理装置が前記船団を構成する各船から受け付けた前記センシングされる情報を、前記情報処理装置から受信する第１のステップと、
前記受信した情報に基づいて、前記ディスプレイに、海図と、前記船団の各船の少なくとも一部について当該船でセンシングされる情報を表示する第２のステップと、
前記ディスプレイに表示される前記船団の各船を指定する操作をユーザから受け付けることにより、当該指定された船について、当該指定された船でセンシングされる情報を表示する第３のステップと、を実行し、
所定の船について、当該船の漁獲記録を作成するための操作をユーザから受け付け、
前記海図において、前記漁獲記録を行った地点を、別の地点とは異なるように表示する、通信端末。
【請求項８】
通信端末であって、
前記通信端末は、船団で漁業を行う各船でセンシングされる情報を各船から受信する情報処理装置と通信可能であり、
前記船団を構成する船は、前記センシングを行うために、前記船の位置を取得する位置情報取得装置と、魚群探知機と、ソナーと、船上の様子を撮影するカメラとのうちの少なくともいずれかを備え、
前記通信端末は、プロセッサと、メモリと、ディスプレイとを備え、
前記プロセッサは、
前記情報処理装置が前記船団を構成する各船から受け付けた前記センシングされる情報を、前記情報処理装置から受信する第１のステップと、
前記受信した情報に基づいて、前記ディスプレイに、海図と、前記船団の各船の少なくとも一部について当該船でセンシングされる情報を表示する第２のステップと、
前記ディスプレイに表示される前記船団の各船を指定する操作をユーザから受け付けることにより、当該指定された船について、当該指定された船でセンシングされる情報を表示する第３のステップと、を実行し、
所定の船について、当該船の漁獲記録を作成するための操作をユーザから受け付け、
前記海図において、前記漁獲記録を行った時刻から過去所定時間帯における航跡を、別の航跡とは異なるように表示する、通信端末。
【請求項９】
プロセッサを備えるコンピュータに実行させるプログラムであって、
前記コンピュータは、船団で漁業を行う各船でセンシングされる情報を各船から受信する情報処理装置と通信可能であり、
前記船団を構成する船は、前記センシングを行うために、前記船の位置を取得する位置情報取得装置と、魚群探知機と、ソナーと、船上の様子を撮影するカメラとのうちの少なくともいずれかを備え、
前記プログラムは、前記プロセッサに、
前記情報処理装置が前記船団を構成する各船から受け付けた前記センシングされる情報を、前記情報処理装置から受信する第１のステップと、
前記受信した情報に基づいて、ディスプレイに、海図と、前記海図において前記船団の各船の位置を示す画像と、前記船団の各船の少なくとも一部について当該船でセンシングされる情報を表示する第２のステップと、
前記ディスプレイに表示される前記船団の各船を指定する操作をユーザから受け付けることにより、当該指定された船について、当該指定された船でセンシングされる情報を表示する第３のステップと、を実行する、プログラム。
【請求項１０】
プロセッサを備えるコンピュータにより実行される方法であって、
前記コンピュータは、船団で漁業を行う各船でセンシングされる情報を各船から受信する情報処理装置と通信可能であり、
前記船団を構成する船は、前記センシングを行うために、前記船の位置を取得する位置情報取得装置と、魚群探知機と、ソナーと、船上の様子を撮影するカメラとのうちの少なくともいずれかを備え、
前記方法は、前記プロセッサが、
前記情報処理装置が前記船団を構成する各船から受け付けた前記センシングされる情報を、前記情報処理装置から受信する第１のステップと、
前記受信した情報に基づいて、ディスプレイに、海図と、前記海図において前記船団の各船の位置を示す画像と、前記船団の各船の少なくとも一部について当該船でセンシングされる情報とを表示する第２のステップと、
前記ディスプレイに表示される前記船団の各船を指定する操作をユーザから受け付けることにより、当該指定された船について、当該指定された船でセンシングされる情報を表示する第３のステップと、を実行する、方法。
【発明の詳細な説明】
【技術分野】
【０００１】
本開示は、通信端末、プログラム及び方法に関する。
【背景技術】
【０００２】
漁業を行う方法は様々あり、複数の船で役割分担をしつつ漁業を行う船団漁業者がいる。船団を構成する各船は、役割に応じて、魚群探知機などの様々な機材を搭載している。従来、網を張るなどの行動をするにあたり、無線機またはネットワークにより、各船で検知された情報を船間で共有することや、船間の人員で連絡を行うことが行われている。
【０００３】
例えば、特開２００６−００６２１７には、網船、魚探船、および運搬船から成る巻き網船団等の漁船団による操業を支援するための漁船団の船間通信システムが記載される。魚探船は魚群を発見すると、魚群探知機の影像をデジタルカメラ等の画像変換手段を介して画像情報に圧縮して、位置情報ならびに海洋情報や気象情報と共に、移動通信ネットワークを経由して網船に通知する。
【先行技術文献】
【特許文献】
【０００４】
【特許文献１】特開２００６−００６２１７号公報
【発明の概要】
【発明が解決しようとする課題】
【０００５】
しかしながら、特許文献１のような船間通信システムには、船団内で情報をリアルタイムに共有するのではなく、魚探船が魚群を発見した場合のみ、魚探船の魚群探知機の影像を画像情報に圧縮して網船と共有する。その結果、魚群探知機の影像などを共有するか否かは、魚探船に乗船した漁師の判断に左右されるので、コミュニケーションロスが発生してしまい、有益な情報を確実に共有できないおそれがある。よって、船団内で情報共有をより効率的に行って、漁の判断を容易にする技術は望まれる。
【０００６】
本開示は、漁業を行う船団内で情報共有を効率的に行いつつ、漁の判断を容易にする技術を提供することを目的とする。
【課題を解決するための手段】
【０００７】
一実施の形態によると、通信端末であって、船団で漁業を行う各船でセンシングされる情報を各船から受信する情報処理装置と通信可能な通信端末が提供される。船団を構成する船は、センシングを行うために、船の位置を取得する位置情報取得装置と、魚群探知機と、ソナーと、船上の様子を撮影するカメラとのうちの少なくともいずれかを備え、通信端末は、プロセッサと、メモリと、ディスプレイとを備え、プロセッサは、情報処理装置が各船から受け付けたセンシングされる情報を、情報処理装置から受信する第１のステップと、受信した情報に基づいて、ディスプレイに、海図と、海図において船団の各船の位置を示す画像と、船団の各船の少なくとも一部について当該船でセンシングされる情報とを表示する第２のステップと、ディスプレイに表示される各船を指定する操作をユーザから受け付けることにより、当該指定された船でセンシングされる情報を表示する第３のステップと、を実行する。
【０００８】
一実施の形態によると、プロセッサを備えるコンピュータに実行させるプログラムが提供される。コンピュータは、船団で漁業を行う各船でセンシングされる情報を各船から受信する情報処理装置と通信可能であり、船団を構成する船は、センシングを行うために、船の位置を取得する位置情報取得装置と、魚群探知機と、ソナーと、船上の様子を撮影するカメラとのうちの少なくともいずれかを備え、プログラムは、プロセッサに、情報処理装置が各船から受け付けたセンシングされる情報を、情報処理装置から受信する第１のステップと、受信した情報に基づいて、ディスプレイに、海図と、海図において船団の各船の位置を示す画像と、船団の各船の少なくとも一部について当該船でセンシングされる情報とを表示する第２のステップと、ディスプレイに表示される各船を指定する操作をユーザから受け付けることにより、当該指定された船でセンシングされる情報を表示する第３のステップと、を実行する。
【０００９】
一実施の形態によると、プロセッサを備えるコンピュータにより実行される方法が提供される。コンピュータは、船団で漁業を行う各船でセンシングされる情報を各船から受信する情報処理装置と通信可能であり、船団を構成する船は、センシングを行うために、船の位置を取得する位置情報取得装置と、魚群探知機と、ソナーと、船上の様子を撮影するカメラとのうちの少なくともいずれかを備え、方法は、プロセッサが、情報処理装置が各船から受け付けたセンシングされる情報を、情報処理装置から受信する第１のステップと、受信した情報に基づいて、ディスプレイに、海図と、海図において船団の各船の位置を示す画像と、船団の各船の少なくとも一部について当該船でセンシングされる情報とを表示する第２のステップと、ディスプレイに表示される各船を指定する操作をユーザから受け付けることにより、当該指定された船でセンシングされる情報を表示する第３のステップと、を実行する。
【発明の効果】
【００１０】
本開示によれば、漁業を行う船団内で情報共有を効率的に行いつつ、漁の判断を容易にすることができる。
【図面の簡単な説明】
【００１１】
【図１】船団運営支援システム１の全体の構成を示す図である。
【図２】第１の実施の形態の船団運営支援システム１を構成する通信端末１０のブロック図である。
【図３】第１の実施の形態の船団運営支援システム１を構成するサーバ２０の機能的な構成を示す図である。
【図４】サーバ２０が記憶する船情報データベース２８１、センシング結果データベース２８２のデータ構造を示す図である。
【図５】第１の実施の形態の船団運営支援システム１により、船団内でセンシング結果を共有するフローチャートである。
【図６】第１の実施の形態における通信端末１０の画面例の図である。
【図７】第１の実施の形態における通信端末１０の画面例の図である。
【図８】第２の実施の形態の船団運営支援システム１を構成するサーバ２０の機能的な構成を示す図である。
【図９】第２の実施の形態のサーバ２０Ｂが記憶する船情報データベース２８１Ｂ、センシング結果データベース２８２Ｂのデータ構造を示す図である。
【図１０】第２の実施の形態の船団運営支援システムにより、船体リスクを管理するための機能を提供する流れの一例を示すフローチャートである。
【図１１】第２の実施の形態の船団運営支援システムにより、船団の操船を支援するための機能を提供する一例のフローチャートである。
【図１２】第２の実施の形態の船団運営支援システムにより、漁獲物の漁獲方法又は漁獲高を管理するための機能を提供する処理を示すフローチャートである。
【図１３】第２の実施の形態における通信端末１０の画面例の図である。
【発明を実施するための形態】
【００１２】
以下、図面を参照しつつ、本開示の実施の形態について説明する。以下の説明では、同一の部品には同一の符号を付してある。それらの名称および機能も同じである。したがって、それらについての詳細な説明は繰り返さない。
【００１３】
＜概要＞
以下、漁業を行う船団の運営を支援する船団運営支援システム１について説明する。
【００１４】
＜第１の実施の形態＞
＜１  船団運営支援システム１の全体構成＞
図１は、船団運営支援システム１の全体の構成を示す図である。
【００１５】
船団運営支援システム１は、複数の船からなって漁業を行う船団内で、各船でセンシングされた情報を共有することで、船団の運営を支援するためのシステムである。図１に示すように、船団運営支援システム１は、複数の船３０Ａ、３０Ｂに搭載されている通信端末１０及びセンシング機器と、各船に通信可能なサーバ２０とを含む。各船の上記センシング機器としては、魚群探知機１１、ソナー１２、位置情報取得装置１３及びカメラ１４などが挙げられる。船３０Ａ、３０Ｂ及びサーバ２０は、ネットワーク８０を介して相互に通信可能に接続されている。ネットワーク８０は、有線または無線ネットワークにより構成される。
【００１６】
通信端末１０は、船に搭載され、船団内で共有される情報を表示するためのデバイスである。通信端末１０としては、例えば、スマートフォン、タブレット等、各ユーザが操作し、移動体通信システムに対応した携帯端末が挙げられる。この他に、通信端末１０は、例えばウェアラブルデバイス、ＰＣ（Personal Computer）等であるとしてもよい。
【００１７】
通信端末１０は、ネットワーク８０を介してサーバ２０と通信可能に接続される。通信端末１０は、５Ｇ、ＬＴＥ（Long Term Evolution）などの通信規格に対応した無線基地局、ＩＥＥＥ（Institute of Electrical and Electronics Engineers）８０２．１１などの無線ＬＡＮ（Local Area Network）規格に対応した無線ＬＡＮルータ等の通信機器と通信することによりネットワーク８０に接続される。
【００１８】
各船に搭載されているセンシング機器は、漁業を行うために有益な情報を取得するためのデバイスであり、魚群探知機１１、ソナー１２、位置情報取得装置１３及びカメラ１４のうちの少なくともいずれかを含む。上記各センシング機器は、ネットワーク８０を介してサーバ２０と通信可能に接続される。
【００１９】
魚群探知機１１は、船に搭載され、当該船の下の海中に向けて超音波を発射し、その反射波を捉えることで魚群を探すためのデバイスである。魚群探知機１１は、海中の状況をレーダー映像のように捉え、魚群の分布状況、密集度、海面、海底の地形、水深などを、異なる形、濃度及び色合いで画面上に表示する。
【００２０】
ソナー１２は、船に搭載され、当該船の周囲方向の海中に向けて超音波を発射し、その反射波を捉えることで魚群を探すためのデバイスである。ソナー１２は、海中の状況をレーダー映像のように捉え、魚群の映像及び海底の映像などを、異なる形、濃度及び色合いで画面上に表示する。
【００２１】
位置情報取得装置１３は、船に搭載され、船の位置を検出するセンサーであり、例えばＧＰＳ（Global Positioning System）モジュールである。ＧＰＳモジュールは、衛星測位システムで用いられる受信装置である。衛星測位システムでは、少なくとも３個または４個の衛星からの信号を受信し、受信した信号に基づいて、ＧＰＳモジュールが搭載される船の現在位置を検出する。
【００２２】
カメラ１４は、船に設けられて、船上の様子を撮影するための装置である。例えば、カメラ１４は、網船の上部に設けられ、網の送り出し及び巻き上げの作業を撮影したり、漁獲物を撮影したりする。
【００２３】
なお、各船に搭載されているセンシング機器は、上記装置に限らず、海水温を測定する水温センサー、風向風速を測定する風向風速計などを含むとしてもよい。
【００２４】
サーバ２０は、各船から受信した情報を管理する装置である。サーバ２０は、ネットワーク８０に接続されたコンピュータである。
【００２５】
図１に示すように、サーバ２０は、通信ＩＦ２２と、入出力ＩＦ２３と、メモリ２５と、ストレージ２６と、プロセッサ２９とを備える。
【００２６】
通信ＩＦ２２は、サーバ２０が外部の装置と通信するため、信号を入出力するためのインタフェースである。入出力ＩＦ２３は、ユーザからの入力操作を受け付けるための入力装置、および、ユーザに対し情報を提示するための出力装置とのインタフェースとして機能する。メモリ２５は、プログラム、および、プログラム等で処理されるデータ等を一時的に記憶するためのものであり、例えばＤＲＡＭ（Dynamic Random Access Memory）等の揮発性のメモリである。ストレージ２６は、データを保存するための記憶装置であり、例えばフラッシュメモリ、ＨＤＤ（Hard Disc Drive）である。プロセッサ２９は、プログラムに記述された命令セットを実行するためのハードウェアであり、演算装置、レジスタ、周辺回路などにより構成される。
【００２７】
＜１．１  通信端末１０の構成＞
図２は、実施の形態１の船団運営支援システム１を構成する通信端末１０のブロック図である。図２に示すように、通信端末１０は、複数のアンテナ（アンテナ１１１、アンテナ１１２）と、各アンテナに対応する無線通信部（第１無線通信部１２１、第２無線通信部１２２）と、操作受付部１３０（タッチ・センシティブ・デバイス１３１およびディスプレイ１３２を含む）と、音声処理部１４０と、マイク１４１と、スピーカ１４２と、記憶部１７０と、制御部１８０とを含む。通信端末１０は、図２では特に図示していない機能及び構成（例えば、電力を保持するためのバッテリー、バッテリーから各回路への電力の供給を制御する電力供給回路、ＧＰＳモジュールなどの位置情報センサなど）も有している。図２に示すように、通信端末１０に含まれる各ブロックは、バス等により電気的に接続される。
【００２８】
アンテナ１１１は、通信端末１０が発する信号を電波として放射する。また、アンテナ１１１は、空間から電波を受信して受信信号を第１無線通信部１２１へ与える。
【００２９】
アンテナ１１２は、通信端末１０が発する信号を電波として放射する。また、アンテナ１１２は、空間から電波を受信して受信信号を第２無線通信部１２２へ与える。
【００３０】
第１無線通信部１２１は、通信端末１０が他の無線機器と通信するため、アンテナ１１１を介して信号を送受信するための変復調処理などを行う。第２無線通信部１２２は、通信端末１０が他の無線機器と通信するため、アンテナ１１２を介して信号を送受信するための変復調処理などを行う。第１無線通信部１２１と第２無線通信部１２２とは、チューナー、ＲＳＳＩ（Received Signal Strength Indicator）算出回路、ＣＲＣ（Cyclic Redundancy Check）算出回路、高周波回路などを含む通信モジュールである。第１無線通信部１２１と第２無線通信部１２２とは、通信端末１０が送受信する無線信号の変復調や周波数変換を行い、受信信号を制御部１８０へ与える。
【００３１】
操作受付部１３０は、ユーザの入力操作を受け付けるための機構を有する。具体的には、操作受付部１３０は、タッチスクリーンとして構成され、タッチ・センシティブ・デバイス１３１と、ディスプレイ１３２とを含む。
【００３２】
タッチ・センシティブ・デバイス１３１は、通信端末１０のユーザの入力操作を受け付ける。タッチ・センシティブ・デバイス１３１は、例えば静電容量方式のタッチパネルを用いることによって、タッチパネルに対するユーザの接触位置を検出する。タッチ・センシティブ・デバイス１３１は、タッチパネルにより検出したユーザの接触位置を示す信号を入力操作として制御部１８０へ出力する。
【００３３】
ディスプレイ１３２は、制御部１８０の制御に応じて、画像、動画、テキストなどのデータを表示する。ディスプレイ１３２は、例えばＬＣＤ（Liquid Crystal Display）や有機ＥＬ（Electro-Luminescence）ディスプレイによって実現される。
【００３４】
音声処理部１４０は、音声信号の変復調を行う。音声処理部１４０は、マイク１４１から与えられる信号を変調して、変調後の信号を制御部１８０へ与える。また、音声処理部１４０は、音声信号をスピーカ１４２へ与える。音声処理部１４０は、例えば音声処理用のプロセッサによって実現される。マイク１４１は、音声入力を受け付けて、当該音声入力に対応する音声信号を音声処理部１４０へ与える。スピーカ１４２は、音声処理部１４０から与えられる音声信号を音声に変換して当該音声を通信端末１０の外部へ出力する。
【００３５】
記憶部１７０は、例えばフラッシュメモリ等により構成され、通信端末１０が使用するデータおよびプログラムを記憶する。ある局面において、記憶部１７０は、船情報１７１を記憶する。
【００３６】
船情報１７１は、船団運営支援システム１内の各船の情報である。船情報１７１としては、船名、船の役割、船の操業履歴、及び、船に搭載しているセンシング機器に関する情報が含まれる。詳細は後述する。
【００３７】
制御部１８０は、記憶部１７０に記憶されるプログラムを読み込んで、プログラムに含まれる命令を実行することにより、通信端末１０の動作を制御する。制御部１８０は、例えば予め通信端末１０にインストールされているアプリケーションである。制御部１８０は、プログラムに従って動作することにより、入力操作受付部１８１と、送受信部１８２と、データ処理部１８３と、情報表示部１８４としての機能を発揮する。
【００３８】
入力操作受付部１８１は、タッチ・センシティブ・デバイス１３１等の入力装置に対するユーザの入力操作を受け付ける処理を行う。入力操作受付部１８１は、タッチ・センシティブ・デバイス１３１に対してユーザが指などを接触させた座標の情報に基づき、ユーザの操作がフリック操作であるか、タップ操作であるか、ドラッグ（スワイプ）操作であるか等の操作の種別を判定する。
【００３９】
送受信部１８２は、通信端末１０が、サーバ２０等の外部の装置と、通信プロトコルに従ってデータを送受信するための処理を行う。
【００４０】
データ処理部１８３は、通信端末１０が入力を受け付けたデータに対し、プログラムに従って演算を行い、演算結果をメモリ等に出力する処理を行う。
【００４１】
情報表示部１８４は、通信端末１０がサーバ２０から受信した情報をディスプレイ１３２に表示する処理等を行う。情報表示部１８４は、ユーザの指定により、表示内容を変更する。例えば、情報表示部１８４は、ユーザが指定した船１隻分（または複数の船）の魚探映像及び位置情報を表示する。
【００４２】
＜１．２  サーバ２０の機能的な構成＞
図３は、サーバ２０の機能的な構成を示す図である。図３に示すように、サーバ２０は、通信部２０１と、記憶部２０２と、制御部２０３としての機能を発揮する。
【００４３】
通信部２０１は、サーバ２０が外部の装置と通信するための処理を行う。
【００４４】
記憶部２０２は、サーバ２０が使用するデータ及びプログラムを記憶する。記憶部２０２は、船情報データベース２８１と、センシング結果データベース２８２等を記憶する。
【００４５】
船情報データベース２８１は、船団運営支援システム１における各船に関する情報を保持するためのデータベースである。詳細は後述する。
【００４６】
センシング結果データベース２８２は、各船の位置情報、魚探映像情報、カメラ画像など、各船でセンシングした情報を保持するためのデータベースである。詳細は後述する。
【００４７】
制御部２０３は、サーバ２０のプロセッサがプログラムに従って処理を行うことにより、各種モジュールとして示す機能を発揮する。
【００４８】
受信制御モジュール２０３１は、サーバ２０が外部の装置から通信プロトコルに従って信号を受信する処理を制御する。
【００４９】
送信制御モジュール２０３２は、サーバ２０が外部の装置に対し通信プロトコルに従って信号を送信する処理を制御する。
【００５０】
複数船表示モジュール２０３３は、船団内の複数の船でセンシングした情報を、通信端末１０のディスプレイに表示する処理を制御する。例えば、サーバ２０は、通信部２０１を介して、各船の魚群探知機で取得した魚探映像を各船から受信して、当該複数の船の魚探映像を、取得したタイミングで同期させて通信端末１０のディスプレイに表示する。
【００５１】
船指定受付モジュール２０３４は、通信端末１０から、所定の船を指定するための指令を受け付ける処理を制御する。具体的には、通信端末１０は、ユーザから、所定の船を指定するための操作を受け付けて指示の内容をサーバ２０に送信し、船指定受付モジュール２０３４は、当該船を指示する指令を受け付ける。
【００５２】
指定船表示モジュール２０３５は、ユーザが指定した船でセンシングした情報を、通信端末１０のディスプレイに表示する処理を制御する。例えば、ユーザが魚探船を指定した場合に、当該ユーザが使用している通信端末１０のディスプレイに、魚探船でセンシングした位置情報、魚探映像、ソナー映像、カメラ画像などを表示する。
【００５３】
＜２  データ構造＞
図４は、サーバ２０が記憶する船情報データベース２８１、センシング結果データベース２８２のデータ構造を示す図である。
【００５４】
図４に示すように、船情報データベース２８１のレコードのそれぞれは、項目「船名」と、項目「役割」と、項目「操業履歴」、項目「搭載機器」等を含む。
【００５５】
項目「船名」は、船団内の各船の名前を示す情報である。
名称である。
【００５６】
項目「役割」は、それぞれの船が船団の操業において果たす役割を示す情報である。船の役割としては、例えば、魚群を探す「探索船」、魚群を捕獲する「網船」、及び、漁獲物を氷蔵して漁港に水揚げする「運搬船」と記録してよい。
【００５７】
項目「操業履歴」は、それぞれの船の操業情報を示し、例えば、操業を行った時間と位置を記録する。
【００５８】
項目「搭載機器」は、それぞれの船に搭載されているセンシング機器を示す情報である。例えば、探索船「第１丸」の位置情報取得装置（ＧＰＳ）、魚群探知機、ソナー及びカメラが搭載されている場合に、「ＧＰＳ、魚群探知機、ソナー、カメラ」と記録する。
【００５９】
サーバ２０は、それぞれの船の操業に伴って、船情報データベース２８１を更新する。
【００６０】
センシング結果データベース２８２のレコードのそれぞれは、項目「船名」と、項目「日時」、項目「位置情報」と、項目「魚探映像」、項目「ソナー映像」、項目「カメラ画像」等を含む。
【００６１】
項目「船名」は、船団内の各船を識別するための情報である。
【００６２】
項目「日時」は、センシング結果の取得日時を示す情報である。サーバ２０は、例えば、それぞれの船のセンシング機器により取得したセンシング結果を、所定の時間間隔（例えば、１分ごと）に受信して蓄積する。
【００６３】
項目「位置情報」は、センシングのタイミングにおいて取得される、それぞれの船の位置情報の履歴を示す。例えば、サーバ２０は、位置情報としては、緯度と経度からなるＧＰＳ座標を記録する。
【００６４】
項目「魚探映像」は、それぞれの船の魚群探知機により取得され、魚群探知機の画面に表示される映像の履歴を示す。各船において、魚群探知機の画面には、魚群探知機がセンシングを行った結果がリアルタイムに映像として表示される。魚探映像には、魚群の分布状況、密集度、海面、海底の地形、水深などが含まれ、それぞれ、異なる形、濃度及び色合いで表示される。
【００６５】
項目「ソナー映像」は、それぞれの船のソナーにより取得され、ソナーの画面に表示される映像の履歴を示す。各船において、ソナーの画面には、ソナーがセンシングを行った結果がリアルタイムに映像として表示される。ソナー映像には、魚群の映像及び海底の映像などが含まれ、それぞれ、異なる形、濃度及び色合いで表示される。
【００６６】
項目「カメラ画像」は、それぞれの船のカメラにより取得され、船上の様子を撮影した画像の履歴を示す。各船において、当該カメラは、船上の様子をリアルタイムに撮影した撮影画像を出力する。
【００６７】
各船でセンシングされた位置情報、魚探映像、ソナー映像、カメラ画像は、サーバ２０との通信を介して、逐次、サーバ２０に送信される。サーバ２０は、上記情報を蓄積しながら、船団内の通信端末１０に、これら蓄積した情報を送信する。これにより、各船において随時センシングされるセンシング結果を、各船で、ほぼリアルタイムに共有することができる。
【００６８】
＜３  動作＞
以下、図５を参照しながら、船団運営支援システム１により船団内で情報を共有する処理について説明する。
【００６９】
図５は、第１の実施の形態における船団運営支援システム１により、船団内で、船団を構成する各船でセンシングした情報を共有する流れの一例を示すフローチャートである。以下の例では、魚群探知機１１、ソナー１２、位置情報取得装置１３及びカメラ１４など、各船に搭載されているセンシング機器により取得したセンシング結果を、サーバ２０を介して、各船に搭載されている通信端末１０に共有して表示する処理について説明する。なお、センシング機器は上記魚群探知機１１、ソナー１２、位置情報取得装置１３、カメラ１４に限らず、漁りに有益な情報を取得することができる機器であればよい。
【００７０】
ステップＳ５２１において、サーバ２０は、各船のセンシング機器により取得したセンシング結果を、各船から受信して記憶部に蓄積する。ここでいうセンシング結果は、各船に搭載されている魚群探知機１１、ソナー１２、位置情報取得装置１３及びカメラ１４などのセンシング機器により取得した、魚探映像、ソナー映像、位置情報及びカメラ画像など、漁りに有益な情報である。各船のセンシング機器（上記の魚群探知機１１等）は、サーバ２０との通信により、上記センシング結果をサーバ２０へ送信する。
【００７１】
ステップＳ５２２において、サーバ２０は、複数の船のセンシング結果を各船で共有するための情報（各船のセンシング結果）を、通信端末１０へ送信する。
【００７２】
ステップＳ５１１において、通信端末１０は、サーバ２０から、複数の船のセンシング結果を受信して、ディスプレイに表示する。具体的には、通信端末１０は、サーバ２０から受信した情報に基づいて、ディスプレイに、海図と、海図において各船の位置を示す画像と、船団の各船の少なくとも一部について当該船でセンシングされる情報とを表示する。
【００７３】
海図には、船団が位置しているエリアの水路の状況、すなわち水深、底質、海岸地形、航路標識などが表示されている。各船の位置を示す画像は、例えば船形のアイコンであり、海図において各船の位置をユーザに提示する。また、それぞれの船は、異なる画像で表示されるとしてもよい。
【００７４】
また、通信端末１０は、複数の船のセンシング結果を表示するように、ディスプレイを複数のエリアに分割し、それぞれのエリアにおいて、各船のセンシング結果を表示する。例えば、船団は３隻の船で構成される場合に、ディスプレイは３列に分割され、それぞれの列に、船１隻分のセンシング結果を表示する。このように、３隻の船のセンシング結果は、時刻の同期をとりつつリアルタイムに船団内に共有される。
【００７５】
ステップＳ５１２において、通信端末１０は、ユーザから、ディスプレイに表示される各船から船を指定する操作をユーザから受け付ける。例えば、ステップＳ５１１において、ディスプレイに３隻の船のセンシング結果が同時に表示され、そして、ステップＳ５１２において、通信端末１０は、ユーザから、これら３隻の船から、船を指定する操作を受け付ける。
【００７６】
ステップＳ５２３において、サーバ２０は、船を指定する操作に応答して、指定された船のセンシング結果を、通信端末１０へ送信する。サーバ２０がステップＳ５２３において送信する所定の船のセンシング結果は、ステップＳ５２３において送信する同一の船のセンシング結果よりも詳しい情報であってもよいし、同じ情報であってもよい。ステップＳ５２３において送信する同一の船のセンシング結果とは同じ情報を送信する場合に、ステップＳ５２３を行わないとしてもよい。
【００７７】
ステップＳ５１３において、通信端末１０は、指定された船のセンシング結果を受信して表示する。このように、通信端末１０のディスプレイには、ユーザが指定した船のみのセンシング結果が表示される。
【００７８】
上記一連の処理により、船団を構成する各船でセンシングした情報を船団内で共有する処理は完了される。
【００７９】
上記処理によれば、各船のセンシング結果を船団内でリアルタイムに共有することができるとともに、ユーザが確認したい船のセンシング結果のみを表示することもできる。したがって、各船のセンシング結果を集約しつつ共有して、漁場の判断に有益な情報を提供して、船団の運営を支援することができる。
【００８０】
＜４  画面例＞
図６、図７は、本開示の第１の実施の形態における通信端末１０の画面例を示す図である。以下の画面例では、センシング結果は、各船に搭載されている魚群探知機１１、ソナー１２、位置情報取得装置１３及びカメラ１４などのセンシング機器により取得した魚探映像、ソナー映像、位置情報及びカメラ画像を含む。
【００８１】
図６の画面例（Ａ）は、複数の船のセンシング結果を１つの画面に集約して表示し、船団内でリアルタイムに共有する局面を示す図である。
【００８２】
画面例（Ａ）に示すように、ユーザの通信端末１０において、ディスプレイの画面が複数の列に分割され、それぞれの列には、船１隻分の情報が表示されている。また、各船については、船名及び当該船のセンシング結果が表示されている。例えば、画面例（Ａ）には、通信端末１０の画面が３列に分割され、それぞれの列に、船「第１丸」、「第２丸」及び「第３丸」の情報が表示されている。例えば、第３列に、船名「第３丸」、第３丸の位置情報を示す画像、及び第３丸のソナー画像が表示されている。
【００８３】
通信端末１０は、船団を構成する船の数量またはユーザの指定により、画面の表示態様を変更するとしてよい。例えば、通信端末１０は、ユーザの設定により、画面の列の数を３列から２列に変更してもよい。
【００８４】
また、通信端末１０は、ユーザの指定により、画面に表示されるセンシング結果の種類を変更するとしてよい。例えば、ユーザの指定により、第１列には、船「第１丸」について魚探映像及びソナー映像が表示され、第３列には、船「第３丸」について位置情報及びソナー映像が表示されている。
【００８５】
また、通信端末１０は、所定の船を予め指定することにより、当該指定された船について、別の船とは異なるように表示する。例えば、画面例（Ａ）に示すように、ユーザが船「第３丸」を予め指定した場合に、ディスプレイに複数の船を表示するとき、船「第３丸」に星印を付けて、別の船より識別しやすいように表示する。
【００８６】
これにより、船団を構成する各船のセンシング結果を、船団内でリアルタイムに効率的に共有することができる。また、魚探映像、ソナー映像、位置情報及びカメラ画像など、これまで無線でのやり取りで大まかに把握していた情報は、リアルタイムに目視することができる。
【００８７】
したがって、船団内の複数の船でセンシングしたデータを、１つの画面に集約してリアルタイムに共有し、一目で分かるようにすることができる。そのため、まき網・ひき網漁の際のコミュニュケーション不全を解消し、漁場の判断及び操業を容易にすることができる。
【００８８】
図６の画面例（Ｂ）は、指定された船のセンシング結果を表示する局面を示す図である。画面例（Ａ）におけるディスプレイに複数の船のセンシング結果が同時に表示され、これらの船からいずれかの船を指定すると、画面例（Ｂ）に遷移する。
【００８９】
画面例（Ｂ）に示すように、ユーザの通信端末１０において、指定された船１隻分のセンシング結果が表示される。例えば、ユーザが探索船（第１丸）の魚群探知機の画面を確認したい場合に、画面例（Ａ）において第１丸を指定すると、面例（Ｂ）の画面の左半分には、船団内の各船の現在の位置が海図に表示され、右半分には、第１丸のソナー映像と魚探映像はリアルタイムに表示されている。また、通信端末１０は、海図において、指定された船の位置を強調表示してよい。
【００９０】
これにより、ユーザが表示したい船のセンシング結果のみをディスプレイに詳細に表示して、当該センシング結果をユーザに視認しやすいように共有することができる。
【００９１】
図７の画面例（Ａ）は、各船で取得した位置情報に応じて、所定時間帯における各船の航跡を表示する局面を示す図である。ここでいう所定時間帯の始点と終点は、予め設定される時刻（例えば、出港時刻又は現在時刻）であってもよいし、ユーザによって指定される任意の時刻であってもよい。
【００９２】
例えば、図７の画面例（Ａ）に示すように、通信端末１０のディスプレイには、各船の現在時刻の位置と、現在時刻から過去３時間における航跡は海図に表示されている。また、各船の現在時刻の経度、緯度座標が表示されている。
【００９３】
これにより、船団内の各船のリアルタイムの位置を共有することができるとともに、操業中に通った航路を共有して記録することができる。また、各船の位置、航跡を可視化することで、これまで無線でのやり取りで大まかに把握していた情報は、リアルタイムに目視することができる。そして、地図上に各船の航路が記録され続けるため、他の船が既に通った地点をもう一度探索することを避けることができる。
【００９４】
また、図７の画面例（Ａ）には、以下の情報をさらに表示する。
（ｉ）通信端末１０は、各船の航跡上の所定ポイントを指定する操作をユーザから受け付けることにより、当該ポイントに対応する時刻における当該船でセンシングされる情報を表示する。例えば、図７の画面例（Ａ）に示すように、ユーザが航跡上の所定ポイントＢ１を指定する操作に応答して、サーバ２０は、センシング結果データベース２８２を照合することで、ポイントＢ１の位置情報と、ポイントＢ１を通過した船でセンシングした情報とを関連付けて、船がポイントＢ１を通過した時刻と、当該時刻における魚探映像、ソナー映像及びカメラ画像などをユーザに対し表示する。
【００９５】
これにより、センシング結果の記録を活用しつつ、航跡上の任意のポイントでセンシングした情報を確認し、操業に有益な情報を提供することができる。
【００９６】
（ｉｉ）通信端末１０は、海図上の所定地点を指定する操作をユーザから受け付けることにより、当該地点を強調表示するとともに、各船でセンシングされた情報と関連付けられて表示する。例えば、図７の画面例（Ａ）に示すように、ユーザは既知の漁場であるＢ２を指定した場合、当該地点Ｂ２に星印を付けて識別しやすいように表示するとともに、各船の航跡と関連付けて表示する。
【００９７】
これにより、確認したい地点を予め登録し、当該地点と、各船が当該地点の付近で操業しているときにセンシングした情報を表示して、センシング結果の記録を活用することができる。
【００９８】
これにより、センシング結果の記録を活用しつつ、過去の任意時間帯の航跡を確認し、過去の操業の情報を見返すことができる。
【００９９】
図７の画面例（Ｂ）は、所定の船について、当該船の漁獲記録を作成する局面を示す図である。
【０１００】
図７の画面例（Ｂ）に示すように、通信端末１０は、所定の船について、漁獲記録を作成するための操作をユーザから受け付けることにより、漁獲記録を当該船のセンシング結果と関連付けて、漁獲に関する情報を記録して表示する。例えば、画面例（Ｂ）において、ユーザは、地点Ｃ１において漁獲を行ったことを漁獲記録として通信端末１０に入力する。この際に、通信端末１０は、地点Ｃ１に魚マークを付けて、別の地点より識別しやすいように表示する。
【０１０１】
ユーザが漁獲記録を作成するときに入力する情報は、例えば、船名、漁獲を行った時間、漁獲物の種類、重量、数量(匹)、単価、漁具などの情報を含む。サーバ２０は、船名及び漁獲を行った時間を、センシング結果データベース２８２と照合することにより、漁獲を行った地点と関連付けて、当該地点を自動的に関連する。また、ユーザは、漁獲を行った地点を漁獲記録の一部として直接に入力するとしてもよい。
【０１０２】
これにより、漁の成果を簡単に記録することができて、各操業日の漁獲高及びセンシング結果を関連付けて保存し、好きな時に見返すことができる。
【０１０３】
また、通信端末１０は、海図において、漁獲記録を行った時刻から過去所定時間帯における航跡を、別の航跡とは異なるように表示するとしてよい。例えば、図７の画面例（Ｂ）に示すように、漁獲記録を行った地点Ｃ１と、漁獲記録を行った時刻から過去１時間の地点Ｃ２との間の航跡を、所定の色を付けるように、別の航跡とは異なるように表示する。
【０１０４】
これにより、漁獲するまでの船の航跡を容易に確認することができて、今後の操業に有益な情報として記録することができる。
【０１０５】
＜小括＞
以上のように、、第１の実施の形態によれば、漁業を行う船団内で情報共有を効率的に行いつつ、船団の操業を支援することができる。
【０１０６】
＜第２の実施の形態＞
第１の実施の形態では、漁業を行う船団内でセンシング結果を共有しつつ、船団の操業を支援する例について説明した。第２の実施の形態では、漁船の操業に関する様々な情報を蓄積して、ユーザの要求に応じて、特定な機能を提供する技術について説明する。
【０１０７】
上記特定な機能としては、具体的に以下の機能が挙げられる。
（ｉ）特定の機能は、船舶の運用にかかるリスクを低減させるための機能である。船舶の運用にかかるリスクは、船体のリスク管理又は船員のリスク管理の機能である。
（ｉｉ）特定の機能は、船団の操船を支援するための機能である。船団の操船を支援するための機能は、船を自動航行させるための機能、又は、海図、海底地図の少なくともいずれかを提供する機能である。
（ｉｉｉ）特定の機能は、漁獲物の漁獲方法の管理、漁獲高の管理、または、流通の管理の少なくともいずれかのための機能である。これらの詳細については後述する。
【０１０８】
第２の実施形態により、漁船の操業に関する様々な情報を蓄積して、ユーザの要求に応じて、特定の機能を提供することができる。
【０１０９】
＜構成＞
＜１  船団運営支援システム１の全体構成＞
第２の実施の形態に係る船団運営支援システムの構成及び通信端末１０の構成は、図１、３に示す構成と同様であるので、繰り返して説明しない。以下、第２の実施形態に係るサーバ２０Ｂの構成について説明する。
【０１１０】
＜１．１  サーバ２０Ｂの構成＞
図８は、サーバ２０Ｂの機能的な構成を示す図である。図８に示すように、サーバ２０Ｂは、通信部２０１Ｂと、記憶部２０２Ｂと、制御部２０３Ｂとしての機能を発揮する。
【０１１１】
通信部２０１Ｂは、サーバ２０Ｂが外部の装置と通信するための処理を行う。
【０１１２】
記憶部２０２Ｂは、サ ーバ２０Ｂが使用するデータ及びプログラムを記憶する。記憶部２０２Ｂは、船情報データベース２８１Ｂと、センシング結果データベース２８２Ｂ等を記憶する。
【０１１３】
船情報データベース２８１Ｂは、船団運営支援システム１における各船に関する情報を保持するためのデータベースである。詳細は後述する。
【０１１４】
センシング結果データベース２８２Ｂは、各船の位置情報、魚探映像情報、カメラ画像など、各船でセンシングしたセンシング結果を保持するためのデータベースである。詳細は後述する。
【０１１５】
制御部２０３Ｂは、サーバ２０Ｂのプロセッサがプログラムに従って処理を行うことにより、各種モジュールとして示す機能を発揮する。
【０１１６】
受信制御モジュール２０３１Ｂは、サーバ２０Ｂが外部の装置から通信プロトコルに従って信号を受信する処理を制御する。
【０１１７】
送信制御モジュール２０３２Ｂは、サーバ２０Ｂが外部の装置に対し通信プロトコルに従って信号を送信する処理を制御する。
【０１１８】
センシング結果記憶モジュール２０３３Ｂは、各船でセンシングされるセンシング結果を記憶する処理を制御する。例えば、サーバ２０Ｂは、通信部２０１を介して、各船でセンシングされる位置情報、魚探映像、ソナー映像及びカメラ情報などを記憶部２０２Ｂに記憶する。
【０１１９】
要求受付モジュール２０３４Ｂは、特定の機能の提供を要求するための指令を、ユーザから受け付ける処理を制御する。具体的には、通信端末１０は、ユーザから、特定の機能の提供を要求するための操作を受け付けて、当該要求の内容をサーバ２０Ｂに送信する。要求受付モジュール２０３４Ｂは、当該要求を受信する。
【０１２０】
機能提供モジュール２０３５Ｂは、ユーザに要求された機能を提供する処理を制御する。具体的には、サーバ２０Ｂは、記憶部に蓄積されるセンシング結果に基づいて、ユーザに要求された機能機能をユーザの端末に提供する。例えば、ユーザが船体のリスクを管理する機能を要求した場合に、サーバ２０Ｂは、各船でセンシングされるセンシング結果に基づいて、各船において異常が発生したか否かを検知し、検知結果をユーザの端末へ送信する。
【０１２１】
＜２  データ構造＞
図９は、サーバ２０Ｂが記憶する船情報データベース２８１Ｂ、センシング結果データベース２８２Ｂのデータ構造を示す図である。
【０１２２】
図９に示すように、船情報データベース２８１Ｂのレコードのそれぞれは、項目「船名」と、項目「スベック」と、項目「母港」等を含む。
【０１２３】
項目「船名」は、船団内の各船の名前を示す情報である。
名称である。
【０１２４】
項目「スベック」は、それぞれの船の主要諸元データを示す情報である。例えば、スベックとしては、船の長さ、幅、深さ、計画総トン数、最大積載量、最大排水量などを記憶する。
【０１２５】
項目「母港」は、それぞれの船が拠点を置く港を示す。
【０１２６】
センシング結果データベース２８２Ｂのレコードのそれぞれは、項目「船名」と、項目「日時」、項目「位置情報」と、項目「魚探映像」、項目「カメラ画像」、項目「排気温度」、項目「風向風速」、項目「漁獲記録」等を含む。
【０１２７】
項目「船名」は、船団内の各船の名前を示す情報である。
【０１２８】
項目「日時」は、センシング結果の取得日時を示す情報である。サーバ２０Ｂは、例えば、それぞれの船のセンシング機器により取得したセンシング結果を、１分ごとに受信して蓄積する。ここでいうセンシング機器は、例えば、魚群探知機、位置情報取得装置、カメラ、排気温度計、風向風速計などが挙げられる。
【０１２９】
項目「位置情報」は、それぞれの船のリアルタイムの位置情報を示す情報である。位置情報としては、緯度と経度からなるGPS 座標を記録してよい。
【０１３０】
項目「魚探映像」は、それぞれの船の魚群探知機により取得され、魚群探知機の画面に表示されるリアルタイムの映像である。魚探映像には、魚群の分布状況、密集度、海面、海底の地形、水深などは、異なる形、濃度及び色合いで表示される。
【０１３１】
項目「カメラ画像」は、それぞれの船のカメラにより取得され、船上の様子を撮影したリアルタイムの画像である。
【０１３２】
項目「排気温度」は、それぞれの船の排気温度を示す情報である。例えば、船のエンジンの排気口近傍に取り付けられている排気温度センサーにより、排気温度をリアルタイムに計測する。
【０１３３】
項目「風向風速」は、それぞれの船の航行時の風向と風速を示す情報である。船に取り付けられている風向風速計により、風向と風速をリアルタイムに計測する。
【０１３４】
項目「漁獲記録」は、それぞれの船の漁獲記録を示す情報である。漁獲記録は、漁師に入力される情報であってよいし、網を巻き上げるときのカメラ画像により取得した情報であってもよいし、漁獲物を計量する装置により取得した情報であってもよい。
【０１３５】
各船によるセンシング結果は、サーバ２０Ｂとの通信を介して、リアルタイムにサーバ２０Ｂに送信され、サーバ２０Ｂは、上記情報を蓄積して更新する。
【０１３６】
＜３  動作＞
以下、図１０、１１、１２を参照しながら、船団運営支援システム１により、サーバに記憶しているセンシング結果に基づき、ユーザが要求した特定の機能を提供する処理について説明する。ここで、特定の機能は、（i）船舶の運用にかかるリスクを低減させるための機能、（ii）船団の操船を支援するための機能、又は、（iii）漁獲物の漁獲方法の管理、漁獲高の管理、または、流通の管理の少なくともいずれかのための機能である。
【０１３７】
＜実施例１＞
図１０には、船舶の運用にかかるリスクを低減させるための機能として、船体のリスクを管理するための機能を提供する処理の流れの一例を示すフローチャートである。
【０１３８】
ステップＳ１０２１において、サーバ２０Ｂは、各船のセンシング機器により取得したセンシング結果を、各船から受信して記憶部２０２Ｂに蓄積する。ここでいうセンシング結果は、各船に搭載されている魚群探知機、ソナー、位置情報取得装置、カメラ、排気温度計及び風向風速計などのセンシング機器により取得した、魚探映像、ソナー映像、位置情報、カメラ画像、排気温度、風向風速など、漁りに有益な情報である。各船のセンシング機器は、サーバ２０Ｂとの通信により、上記センシング結果をサーバ２０Ｂへ送信する。
【０１３９】
ステップＳ１０１１において、通信端末１０は、ユーザから、船体のリスクを管理するための機能にかかる要求を受け付ける。通信端末１０は、複数の特定の機能をユーザに提示し、ユーザが、船体のリスクを管理するための機能を選択した場合に、当該要求を受け付けて、船体のリスクを管理するための機能を提供するようにリクエストをサーバ２０Ｂへ送信する。
【０１４０】
ステップＳ１０２２において、サーバ２０Ｂは、通信端末１０から、船体のリスクを管理するための機能にかかる要求を受信してから、記憶部２０２Ｂに蓄積しているセンシング結果から、船体のリスクを管理することと関連しているセンシング結果を抽出して処理する。
【０１４１】
例えば、船体のリスクとして、船体に異常が発生することがある。サーバ２０Ｂは、各船の排気温度を、船体の異常検知と関連しているパラメータとして抽出し、予め設定した閾値と比較する。つまり、サーバ２０Ｂは、船の排気温度が、想定される温度と異なる場合に、船体、または、船に搭載される各機器に何らかの異常が発生していると判定する。サーバ２０Ｂは、記憶部２０２Ｂに蓄積している各船の排気温度が当該閾値を超えた場合に、センシング結果データベース２８２Ｂを照合し、異常が発生した船を特定する。又は、サーバ２０Ｂは、排気温度を異常検知のパラメータとして抽出し、記憶部２０２Ｂに蓄積している各船の排気温度の、予め設定した正常値からの乖離度合いを機械学習の手法により算出するとしてもよい。
【０１４２】
ステップＳ１０２３において、サーバ２０Ｂは、関連しているセンシング結果に基づき、異常検知の結果を通信端末１０に送信する。例えば、ステップＳ１０２２において、サーバ２０Ｂは、記憶部２０２Ｂに蓄積している排気温度に基づき、排気温度が閾値を超えて異常が発生したと判定した場合に、当該異常検知の結果を船団内の各通信端末１０に送信する。また、サーバ２０Ｂは、上記排気温度の正常値からの乖離度を船団内の各通信端末１０に送信するとしてもよい。
【０１４３】
ステップＳ１０１２において、通信端末１０は、サーバ２０Ｂから、異常検知の結果を受信して表示する。
【０１４４】
上記一連の処理により、サーバに蓄積されているセンシング結果に基づき、船体のリスクを管理するための機能を提供する処理は完了される。
【０１４５】
ここで、サーバ２０Ｂが、船体に異常が発生していることを検知するために、各船でセンシングされる別のパラメータを参照することとしてもよい。例えば、サーバ２０Ｂは、船の排水温度のパラメータに基づいて、各船に異常が発生していることを検知してもよい。例えば、排水温度が、船体を運用する際に想定される温度と比較して異常に高い、または、異常に低い場合に、船体に何らかの異常が発生している（例えば、船体に搭載される所定の装置が正常に稼働していない等）ことを検知する。すなわち、サーバ２０Ｂは、排水温度と、予め設定した閾値とを比較することにより、船体に異常が発生していることを検知する。
【０１４６】
また、サーバ２０Ｂは、船体の各装置の稼働時間、各装置が稼働している際に発生する稼働音に基づいて、各船で異常が発生していることを検知することとしてもよい。例えば、サーバ２０Ｂは、船体の装置として、エンジンの稼働時間、または、エンジンが稼働している際の稼働音の少なくともいずれかに基づいて、異常が発生していることを検知してもよい。サーバ２０Ｂは、エンジンの稼働時間（エンジンを稼働させた累計の稼働時間、または、エンジンを連続して稼働させている時間等）と、予め設定した閾値とを比較して、エンジンに異常が発生する可能性を判定する。また、サーバ２０Ｂは、エンジンの稼働音のセンシング結果と、エンジンが正常に稼働している場合の稼働音とを比較して一致度合いを判定することにより、エンジンに異常が発生していることを検知する。
【０１４７】
また、サーバ２０Ｂは、以下のセンシング結果に基づいて、船体に異常が発生していることを検知することとしてもよい。
・油圧
・エンジン回転数
・バッテリ電圧
・燃料残量
・魚群探知機等の漁労機器のエラー
・船の状態情報（メンテナンス履歴、故障率など）
サーバ２０Ｂは、各船のセンシング結果に基づいて、船体に異常が発生していることを検知して、船団を構成する各船の通信端末１０に通知する。例えば、上記の例では、燃料残量の減少幅が、船団の航行で想定されるよりも大きい場合に、サーバ２０Ｂが、船体に何らかの異常が発生していると検知してもよい。これにより、船団を構成する船に異常が発生していることを各船が共有することが容易となり、船体に異常が発生していることを前提として船団を運用するよう、各船の船員に促すことができる。
【０１４８】
また、サーバ２０Ｂは、船体の撮影画像（船体に設置されるカメラの撮影画像）、船体に搭載される装置を撮影する撮影画像等に基づいて、画像認識を行うことにより、煙が発生していることを検出する。サーバ２０Ｂは、当該煙が発生していることにより、船体に異常が発生していることを検知することとしてもよい。つまり、サーバ２０Ｂは、船体に搭載される装置が異常な状態となって煙が発生していることにより、船体に異常が発生していることを検知する。
【０１４９】
また、サーバ２０Ｂは、各船で撮影される撮影画像に基づいて、以下を撮影対象とすることにより、船体に異常が発生していることを検知してもよい。
・圧力計、回転数計などの計器類の撮影画像
船体に搭載されるこれら計器類を撮影するようにカメラ（または、カメラを搭載する通信端末１０など）を設置し、サーバ２０Ｂが、これらカメラの撮影画像を画像認識することにより、計器類の数値を監視する。当該計器類の数値が異常値を示す場合に、サーバ２０Ｂが、船体の異常を検知する。
【０１５０】
これにより、ユーザの要求に応じて、異常検知の結果は、船団内の各船にリアルタイムに表示・共有される。そのため、ユーザの要求に応じて、センシング結果を活用しつつ、船体の異常を早期に発見して、船団の運営を支援することができる。
【０１５１】
図１０には、船体の異常検知を例として、船体のリスクを管理するための機能を提供する流れを説明したが、船舶の運用にかかるリスクを低減させるための機能として、これに限らず、以下の例がさらに挙げられる。
【０１５２】
＜実施例２＞
船舶の運用にかかるリスクが、船体のリスク管理である場合、情報処理装置（サーバ２０Ｂ）は、各船でセンシングされるセンシング結果、各船の性能に関する情報、各船の運航実績に関する情報の少なくともいずれかに基づいて、各船に提供する船舶保険を特定し、船舶保険の情報をユーザの端末へ送信する。
【０１５３】
例えば、サーバ２０Ｂは、記憶部２０２Ｂに蓄積している排気温度が閾値を超えて異常が発生したと判定した場合に、異常が発生した船を特定し、船の性能に関する情報又は運航実績に関する情報に基づき、当該異常によって発生可能な損害を対象にする船舶保険を特定し、船舶保険の情報を当該船の端末へ送信する。
【０１５４】
これにより、ユーザの要求に応じて、センシング結果を活用しつつ、各船に適宜な船舶保険の情報を提示することができる。
【０１５５】
また、船舶の運用にかかるリスクが、船体のリスク管理である場合、サーバ２０Ｂは、各船が何らかの物体と衝突したことを検知して通信端末１０等へ通知する。例えば、各船に搭載されるカメラ、加速度センサ等に基づいて、サーバ２０Ｂは、船が他の船と衝突することにより、通常の航行とは異なる動きをしたことを検出する。各船は、他の船または陸地と衝突することがあり得る。また、各船は、座礁することがあり得る。また、各船は、流木、氷塊、ブイ、定置網など海上または海中を漂う物体（浮遊物など）と衝突することがあり得る。サーバ２０Ｂは、各船に搭載されるカメラ、加速度センサ、位置情報センサ等に基づいて、各船が衝突を起こしたことを検知する。
【０１５６】
また、船体のリスク管理をするため、サーバ２０Ｂは、各船のセンシング結果に基づいて、各船が転覆していること、または、転覆しかかっていることを検知して通信端末１０等へ通知する。例えば、サーバ２０Ｂは、船に搭載される加速度センサ等の出力に基づいて、船が通常の航行では想定できないほど傾いていることを検知する。
【０１５７】
また、サーバ２０Ｂは、船舶の運用にかかるリスクとして、漁網をまいた際に漁網が損傷してしまう可能性を判定し、判定結果を通信端末１０等へ通知する。海域によっては、漁網をまいた際に、漁網が損傷するおそれがある。例えば、海底に沈没船などの人工物があり、当該人工物と漁網とが接触することにより、漁網が損傷するおそれがある。サーバ２０Ｂは、各船のセンシング結果に基づいて海底地図を更新し、当該海底地図に基づいて（例えば、海底に沈没船などの人工物が存在することにより）、漁網が接触すると漁網が損傷する可能性を海域ごとに判定する。これにより、サーバ２０Ｂは、例えば、通信端末１０に対し、各船がいる海域（または、各船の近くの海域）において、漁網をまくことが好ましくない海域を通知する。
【０１５８】
また、サーバ２０Ｂは、海象情報（波の高さ、海上風、潮流など）に基づき、各船が漁獲を行うか否かのタイミングを判定し、判定結果を通信端末１０等へ通知することとしてもよい。例えば、ある漁場における波の高さの予測結果に基づいて、漁を行う危険度が高いタイミングについては各船を当該海域で安全に航行させることが困難であるため漁を行わないほうがよい、等と判定する。
【０１５９】
また、海域において漁獲される魚の大きさ、魚の量に対し、漁網の目が小さすぎると、漁網に大量の魚がかかることになってしまい、漁網がやぶれるおそれがある。つまり、サーバ２０Ｂは、魚の大きさ及び魚の量に基づく評価パラメータと閾値とを比較することにより、海域において漁網をまいた際に漁網がやぶれる可能性を評価することができ得る。サーバ２０Ｂは、各船のセンシング結果に基づいて（例えば、過去の各海域における漁獲結果の情報）、各海域において漁獲される魚の大きさ、魚の量を予測する。サーバ２０Ｂは、当該予測結果に基づいて、通信端末１０に対し、漁網をまいてよい海域の情報と、漁網をまいた際に漁網が損傷する可能性が一定値を超える海域の情報とを通知することができる。
【０１６０】
＜実施例３＞
船舶の運用にかかるリスクが、船員のリスク管理である場合、情報処理装置（サーバ２０Ｂ）は、各船の船員の健康を管理する機能、労務を管理する機能の少なくともいずれかをユーザの端末へ提供する。情報処理装置（サーバ２０Ｂ）は、各船のセンシング結果として、少なくとも、各船の船上を撮影するカメラの撮影画像を記憶部２０２Ｂに蓄積しており、撮影画像に基づいて、各船の船員の健康の状態、労務の状態を特定し、特定した結果をユーザの端末へ送信する。また、船上における船員の動きが、既定の行為であるか否かに基づいて、労務の状態を特定する。
【０１６１】
例えば、サーバ２０Ｂは、通信端末１０から、船員のリスク管理の機能に係る要求を受け付けた場合、記憶部２０２Ｂに蓄積しているセンシング結果から、各船の船上を撮影するカメラの撮影画像を抽出して、機械学習の手法により、各船員の動きを解析して、各船の船員の健康の状態、労務の状態を特定する。例えば、船員の健康状態、労務状態が悪化している際のカメラの撮影画像（または、船員の健康状態、労務状態が良好である際のカメラの撮影画像）に基づき学習済みモデルを生成することにより、各船のカメラの撮影画像と当該学習済みモデルとに基づいて、船員の健康の状態、労務の状態が適切であるか否かを評価することができる。また、例えば、カメラの撮影画像を抽出して解析し、網を巻き上げる時点で、各船員の動きが適切であるか否かを判断する。サーバ２０Ｂは、当該解析、特定の結果を、通信端末１０に送信して表示させる。
【０１６２】
ここで、サーバ２０Ｂは、船員の健康状態、労務状態として、船員の疲労度合いが一定を超えているか否かを判定し、判定結果を通信端末１０等に対し通知することとしてもよい。例えば、船員に疲労が蓄積していない状態における船員の動きのセンシング結果（カメラの撮影画像等）、また、船員に疲労が蓄積している度合いが高い状態の船員の動きのセンシング結果とをサーバ２０Ｂが保持することにより（これらの情報に基づいて学習済みモデルを生成することにより）、サーバ２０Ｂは、各船のセンシング結果に基づいて、船員の疲労の度合いを評価することができ得る。
【０１６３】
同様に、サーバ２０Ｂは、船員が病気であるか否かを判定し、判定結果を通信端末１０等に通知することとしてもよい。
【０１６４】
また、サーバ２０Ｂは、船員の労務状態として、労働災害が発生したことを検知し、検知結果を通信端末１０等に対し通知することとしてもよい。重大な労働災害としては、船員が船から海に落ちた（転落した）こと、船員が漁網にひっかかること等がある。サーバ２０Ｂは、各船のカメラの撮影画像等のセンシング結果に基づいて船員を検出し、当該船員が海に転落したこと、漁網に船員が引っ掛かっていることを検知して、検知結果を通信端末１０等に通知する。
【０１６５】
これにより、ユーザの要求に応じて、センシング結果を活用しつつ、各船の船員の健康の状態、労務の状態を把握し、船員のリスクを管理することができる。
【０１６６】
これらの他に、サーバ２０Ｂは、以下の情報に基づいて、各船の船員の状態を管理することとしてもよい。
・人員の稼働率
・人員の給与
例えば、サーバ２０Ｂは、船員が漁労を行っている日数に基づいて、船員の稼働率を特定することができる。
【０１６７】
＜実施例４＞
図１１は、船団の操船を支援するための機能を提供する一例のフローチャートである。この例において、船団の操船を支援するための機能は、船を自動航行させるための機能である。
【０１６８】
ステップＳ１１２１において、サーバ２０Ｂは、各船のセンシング機器により取得したセンシング結果を、各船から受信して記憶部２０２Ｂに蓄積する。ここでいうセンシング結果は、各船に搭載されている魚群探知機、ソナー、位置情報取得装置、カメラ、排気温度計及び風向風速計などのセンシング機器により取得した、魚探映像、ソナー映像、位置情報、カメラ画像、排気温度、風向風速など、漁りに有益な情報である。各船のセンシング機器は、サーバ２０Ｂとの通信により、上記センシング結果をサーバ２０Ｂへ送信する。
【０１６９】
ステップＳ１１１１において、通信端末１０は、ユーザから、船を自動航行させるための機能にかかる要求を受け付ける。通信端末１０は、複数の特定の機能をユーザに提示し、ユーザが船を自動航行させるための機能を選択した場合に、当該要求を受け付けて、船を自動航行させるための機能を提供するようにリクエストをサーバ２０Ｂへ送信する。
【０１７０】
ステップＳ１１２２において、サーバ２０Ｂは、通信端末１０から、船を自動航行させるための機能にかかる要求を受信してから、記憶部２０２Ｂに蓄積しているセンシング結果から、船を自動航行させるための機能と関連しているセンシング結果を抽出して処理する。
【０１７１】
例えば、サーバ２０Ｂは、記憶部２０２Ｂに蓄積しているセンシング結果から、風速データ、風向データ、船速データ、船の現在の位置情報及び母港の位置を抽出して、燃料消費量が削減できる最適な航路を決定する。
【０１７２】
ステップＳ１１２３において、サーバ２０Ｂは、関連しているセンシング結果に基づき、船を自動航行させるための情報を通信端末１０に送信する。例えば、ステップＳ１１２２において、サーバ２０Ｂは、記憶部２０２Ｂに蓄積しているセンシング結果に基づき、燃料消費量が削減できる最適な航路を決定した上で、ステップＳ１１２３において、サーバ２０は、当該最適な航路を生成して通信端末１０に送信する。
【０１７３】
ステップＳ１１１２において、通信端末１０は、サーバ２０Ｂから、船を自動航行させるための情報を受信して表示する。
【０１７４】
上記一連の処理により、サーバに蓄積されているセンシング結果に基づき、船を自動航行させるための機能を提供する処理は完了される。
【０１７５】
これにより、ユーザの要求に応じて、船を自動航行させるための情報は、リアルタイムに生成されてユーザに対し表示される。そのため、ユーザの要求に応じて、センシング結果を活用しつつ、船を自動航行させるための情報を提供することができる。
【０１７６】
図１１には、船を自動航行させることを例として、船団の操船を支援するための機能を提供する流れを説明したが、船団の操船を支援するための機能はこれに限らず、以下の処理がさらに挙げられる。
【０１７７】
＜実施例５＞
船団の操船を支援するための機能は、海図、海底地図の少なくともいずれかを提供する機能であり、情報処理装置（サーバ２０Ｂ）は、各船でセンシングされるセンシング結果に基づいて、海図、海底地図の少なくともいずれかを更新し、更新された海図、海底地図の少なくともいずれかをユーザの端末（通信端末１０）へ送信する。
【０１７８】
例えば、サーバ２０Ｂは、記憶部２０２Ｂに蓄積している魚探映像及びソナー映像に基づき、海底の様子に関するデータを抽出することで、海底地図を更新し、更新された海底地図を通信端末１０へ送信する。又は、サーバ２０Ｂは、船の過去の航跡に基づき、海図に関するデータを抽出することで、海図を更新し、更新された海図を通信端末１０へ送信する。
【０１７９】
これにより、ユーザの要求に応じて、センシング結果を活用しつつ、海図又は海底地図を提供することができる。ここで、サーバ２０Ｂは、各船において随時センシングされた結果に基づき海図、海底地図を更新するため、通信端末１０に対し、直近のセンシング結果に基づいた海図、海底地図を提供することができる。
【０１８０】
以上の例の他に、船団の操船を支援するための機能として、サーバ２０Ｂは、海域の潮流、風速等の情報に基づいて船団の燃料消費量（つまり、船団を航行させる燃料費というコスト要因）を予測することと、海域における漁獲高を予測することと、海域において漁獲を行っている他の船団の情報等に基づいて、船団の航行方法（船団の航行ルート、航行速度など）を通信端末１０等に通知することとしてもよい。例えば、ある漁場において、漁獲を行う競争相手が複数いる場合（船団が複数ある場合）、特定の漁場については他の船団よりも早く漁場に到着することで見込まれる漁獲高（例えば、競争相手がいない状態であれば見込まれる漁獲高）と、当該早く漁場に到着するために消費する燃料消費量（船団の航行速度を上げることで大量の燃料を消費する可能性がある）とに基づいて、航行方法を通信端末１０等のユーザに提案することとしてもよい。例えば、通信端末１０等において、漁獲高（いわば、見込まれる売上）と、燃料消費量（いわば、見込まれるコスト）とを含む航行方法を複数パターンにわたって画面に表示することにより、ユーザから航行方法のパターンの指定を受け付けるとする。この場合、通信端末１０等は、ユーザから受け付けた航行方法に基づいて自動航行するよう各船の航行を制御することとしてもよい。つまり、サーバ２０Ｂは、漁業従事者に対し、漁獲高および燃料消費量に基づいて、利益が最大化するような航行方法を提案することができる。
【０１８１】
また、船団の航行を支援するための機能として、気象情報、海象情報（波の高さ、海上風、水温など）を通信端末１０等へ提供することとしてもよい。例えば、海象情報として、水温の情報は、漁場の予測を行うことに参照され得る。また、サーバ２０Ｂが、海象情報として、潮流の情報（潮流の予測結果）を通信端末１０等へ提供する場合、潮流の情報に基づき各船の航行方法を提案または決定することができ得る。例えば、各船が、漁獲に有利な徐行にいち早くたどり着くために、サーバ２０Ｂが、潮流の情報を参照することとしてもよい。
【０１８２】
＜船団の操船を支援するための機能の、他の例＞
サーバ２０Ｂは、船団の操船を支援するための機能として、船団の各船のいずれかから他の船への指示内容を出力する機能を提供することとしてもよい。
【０１８３】
このような指示内容としては、船団の各船のいずれかの通信端末１０から、航行に関する指示を、船団の各船へと送信することを含む。例えば、船団の各船のいずれかにおいて、ユーザが、海図上に、船を移動させる目標となる目標点（点の情報）、船を航行させる目標となる航路（線の情報）、船を航行させる速度などの指示内容を通信端末１０において指定するとする。当該船の通信端末１０からサーバ２０Ｂへ当該指示内容が送信され、サーバ２０Ｂが、船団の各船へ通知する。これにより、各船において、ある船からの指示内容が的確に共有される。各船は、このように受信した指示内容に基づいて、自動航行などを設定することとしてもよい。
【０１８４】
また、このような指示内容としては、船団の各船のいずれかの通信端末１０から、漁のタイミングに関する指示を、各船へと送信することを含む。例えば、船団の各船のいずれかにおいて、ユーザが、網を投入するタイミング、網を引き上げるタイミングなど漁のタイミングに関する指示内容を通信端末１０において指定したとする。これにより、各船に、ある船からの指示内容が共有され、文字情報、音声、映像などにより、これら網を投入するタイミングが共有される。
【０１８５】
＜実施例６＞
図１２には、漁獲物の漁獲方法又は漁獲高を管理するための機能を提供する処理を示すフローチャートである。
【０１８６】
ステップＳ１１２１において、サーバ２０Ｂは、各船でセンシングされる結果に基づき、海域の情報と、当該海域において特定の魚を獲った漁獲方法又は漁獲高に関する情報とを記憶部２０２Ｂに蓄積させる。なお、通信端末１０が、漁獲高に関する情報の入力（どの海域で、どれだけの漁獲量があったか等）をユーザから受け付けて、受け付けた当該漁獲高に関する情報をサーバ２０Ｂへ送信することにより、サーバ２０Ｂで各海域の漁獲高に関する情報を管理することとしてもよい。
【０１８７】
例えば、サーバ２０Ｂは、１回の操業で漁獲した漁獲物について、各船でセンシングされる位置情報、網を巻き上げるときのカメラ画像、又は漁獲物を計量する装置により取得した情報に基づき、漁獲を行った海域の情報と、当該海域において特定の魚を獲った漁獲方法又は漁獲高に関する情報とを蓄積させる。
【０１８８】
ステップＳ１２１１において、通信端末１０は、ユーザから、漁獲物の漁獲方法又は漁獲高を管理するための機能にかかる要求を受け付ける。通信端末１０は、複数の特定の機能をユーザに提示し、ユーザが漁獲物の漁獲方法又は漁獲高を管理するための機能を選択した場合に、当該要求を受け付けて、漁獲物の漁獲方法又は漁獲高を管理するための機能を提供するようにリクエストをサーバ２０Ｂへ送信する。
【０１８９】
ステップＳ１２２２において、サーバ２０Ｂは、通信端末１０から、漁獲物の漁獲方法又は漁獲高を管理するための機能にかかる要求を受信してから、記憶部２０２Ｂから、海域の情報と、当該海域において特定の魚を獲った漁獲方法又は漁獲高に関する情報とを抽出して処理する。
【０１９０】
ステップＳ１１２３において、サーバ２０Ｂは、各海域における漁獲方法又は漁獲高が適切であるか否かを判定し、判定結果をユーザの端末へ送信する。判定の基準は、例えば、漁獲を行った海域の水産資源管理措置であってよい。
【０１９１】
ステップＳ１１１２において、通信端末１０は、サーバ２０Ｂから、各海域における漁獲方法が適切であるか否かについての判定結果を受信して表示する。
【０１９２】
また、サーバ２０Ｂの制御部２０３Ｂは、判定結果に基づいて、各海域における漁獲方法又は漁獲高が適切であることの認証を行うとしてもよい。例えば、サーバ２０Ｂは、各海域において許可されている漁獲方法、漁獲高の情報を記憶部２０２Ｂにおいて管理しており、各船のセンシング結果に基づいて、当該船の漁獲方法、漁獲高が適切であるか（許可されている範囲内にとどまっているか）を判定する。なお、サーバ２０Ｂは、漁獲高が適切であることの他に、漁獲物の認証（ＭＳＣ（登録商標）：Marine Stewardship Councilの認証、水産エコラベル、マリンエコラベル（登録商標）の認証など）を行うこととしてもよい。サーバ２０Ｂは、各海域において正当に漁獲された漁獲物であることの認証を行うこと、また、これら認証を行うための機能、認証を取得するためのコンサルティングサービスをユーザに提供することとしてもよい。例えば、漁獲物の撮影画像に基づいて、サーバ２０Ｂが、漁獲物の認証を行うこととしてもよい。
【０１９３】
上記一連の処理により、漁獲物の漁獲方法又は漁獲高を管理するための機能を提供する処理は完了される。
【０１９４】
これにより、ユーザの要求に応じて、各海域における漁獲方法又は漁獲高が適切であるか否についての判定結果をユーザに表示される。そのため、ユーザの要求に応じて、センシング結果を活用しつつ、漁獲物の漁獲方法又は漁獲高を管理することができる。
【０１９５】
図１１には、漁獲物の漁獲方法又は漁獲高を管理する流れを説明したが、これに限らず、以下の処理がさらに挙げられる。
【０１９６】
＜実施例７＞
特定の機能が、漁獲物の流通の管理のための機能である場合、情報処理装置（サーバ２０Ｂ）は、各船の漁獲高の情報を記憶部２０２Ｂに蓄積させ、ユーザの端末に、各漁港と関連付けて、漁獲高に関する情報を提供する。サーバ２０Ｂの制御部２０３Ｂは、ユーザの端末（例えば、魚の仕入れを行うユーザの端末）に対し、漁獲高に関する情報として、獲られた魚の種類および量の情報を提供し、ユーザの端末から、当該魚を購買するための操作を受け付ける。
【０１９７】
例えば、サーバ２０Ｂは、各船の漁獲高の情報を記憶部２０２Ｂに蓄積させ、漁獲高に関する情報を各漁港に送信する。各漁港のユーザは、通信端末１０を用いて、当該漁獲物を競りで購買するための操作を入力する。
【０１９８】
これにより、ユーザの要求に応じて、センシング結果を活用しつつ、漁獲物の流通を容易にすることができる。つまり、各船から漁獲高の情報がサーバ２０Ｂに提供されることにより、ユーザの端末から当該魚を購買するための操作を受け付けることが可能となるため、各船が帰港する途中（つまり、各船の魚が漁港に到着する前）において魚の購買を行うことが可能となる。ここで、サーバ２０Ｂは、当該魚の情報を、複数のユーザの端末へ通知することとしてもよい。各ユーザの端末において、当該魚を競り落とすための金額の指定をユーザから受け付ける。これにより、漁港に魚が入る前に、当該魚を競りにかけることができ得る。そのため、各船から、魚を仕入れるユーザへ、当該魚を引き渡す期間を短縮化しうることとなり得る。また、サーバ２０Ｂは、このように、各船で漁獲された魚の情報と、漁獲を行った漁師の情報と、当該魚を購入した購入者の情報と、当該購入した魚を二次流通により獲得した業者の情報等を管理することとしてもよい。例えば、サーバ２０Ｂは、漁師が漁獲した魚を消費者が消費するまでの過程の各流通事業者の情報を記録してブロックチェーン技術により管理することとしてもよい。サーバ２０Ｂは、各流通事業者が魚の購買を行うための環境（例えば、魚の購入処理を行うための画面など）を用意することにより、漁師が漁獲した魚が、どのような二次流通業者を経て最終消費者へと届けられたかを管理することができ、最終消費者に対し、どの漁師が漁獲した魚であるかという追跡可能性（トレーサビリティ）を提供することができる。
【０１９９】
＜４  画面例＞
図１３は、本開示の第２の実施の形態における通信端末１０の画面例を示す図である。図１３は、ユーザから、特定の機能にかかる要求を受信することに応じて、サーバ２０Ｂの記憶部２０２Ｂに蓄積されるセンシング結果に基づいて、当該機能をユーザの端末に提供するための処理を示す。
【０２００】
図１３の画面例（Ａ）は、複数の特定の機能をユーザに提示する局面を示す図である。図１３の画面例（Ａ）に示すように、通信端末１０のディスプレイは、２つのエリアＢ１、Ｂ２に分割され、エリアＢ１には自船の船名が表示され、エリアＢ２には、提供可能な機能を示す「機能一覧」をユーザに提示する。
【０２０１】
「機能一覧」は、船体リスク管理機能、船員リスク管理機能、自動航行機能、海図作成機能、漁獲管理機能、及び漁獲物流通管理機能を含む。いずれかの機能を選択することにより、当該機能にかかる要求が受け付けられる。例えば、ユーザが「船体リスク管理」の機能を選択すると、通信端末１０の表示画面は画面例（Ｂ）に遷移する。なお、ユーザが上記のいずれかの機能を選択する操作によらず、通信端末１０において、特定の機能についてユーザに提供する（特定の機能を利用するための画面を表示する）こととしてもよい。
【０２０２】
図１３の画面例（Ｂ）は、ユーザの要求に応じて、船体リスク管理機能をユーザに提供する局面を示す図である。画面例（Ｂ）に示すように、エリアＢ３には、サーバに記憶されているセンシング結果に基づいて生成した通知が表示され、当該通知は、船体リスクに関する通知である。例えば、画面例（Ｂ）には、船の排気温度が正常値を超過して、エンジンの異常にかかる船体リスクをユーザに通知する。このように、通信端末１０は、船体リスク管理の機能を提供する。また、画面例（Ｂ）には、画面例（Ａ）に示す「機能一覧」画面へ戻るためのボタンＢ４がある。
【０２０３】
図１３の画面例（Ｃ）は、ユーザの要求に応じて、自動航行機能をユーザに提供する局面を示す図である。ユーザが画面例（Ａ）における「自動航行」の機能を選択すると、通信端末１０の表示画面は画面例（Ｃ）に遷移する。
【０２０４】
画面例（Ｃ）に示すように、エリアＢ５には、サーバに記憶されているセンシング結果に基づいて生成した通知が表示され、当該通知は、船を自動航行させるための情報である。例えば、画面例（Ｃ）には、記憶部に蓄積している風速データ、風向データ、船速データ、船の現在の位置情報及び母港の位置に基づき、燃料消費量が削減できる最適な航路を生成し、当該航路に関する情報をユーザに提示する。また、画面例（Ｃ）には、画面例（Ａ）に示す「機能一覧」画面へ戻るためのボタンＢ４がある。
【０２０５】
図１３の画面例（Ｄ）は、ユーザの要求に応じて、漁獲管理機能をユーザに提供する局面を示す図である。ユーザが画面例（Ａ）における「漁獲管理」の機能を選択すると、通信端末１０の画面は画面例（Ｄ）に遷移する。
【０２０６】
画面例（Ｄ）に示すように、エリアＢ６には、サーバに記憶されているセンシング結果に基づき、各海域における漁獲方法又は漁獲高が適切であるか否かについての判定結果が表示される。例えば、各船は、漁獲に使用した漁具、漁法、操業期間や場所、漁獲サイズをセンシングしてサーバに蓄積して、これらの情報により、漁獲が適切かどうかを判定し、判定結果をユーザに表示する。また、画面例（Ｄ）には、画面例（Ａ）に示す「機能一覧」画面へ戻るためのボタンＢ４がある。
【０２０７】
＜小括＞
以上のように、第２の実施の形態によれば、漁船の操業に関する様々な情報を蓄積して、ユーザのニーズに応じて、特定な機能を提供することができる。
【０２０８】
＜変形例＞
サーバ２０Ｂは、上記のように各船でセンシングされるセンシング結果に基づいて、これら情報、および、これら情報の分析結果を、漁業を行う事業者の経営に資する情報として提供することとしてもよい。サーバ２０Ｂは、経営に資する情報を、ユーザに対し、閲覧可能に提供させる機能、経営に資する情報を管理する機能、分析できる機能を提供することとしてもよい。つまり、各船を航行させることでセンシングされる各種データ（漁船の稼働時間、燃料消費量、船員数、その他の各情報）に対し、ユーザが特定の情報を指定して比較できる機能を提供することにより、経営情報を提供することとしてもよい。
【０２０９】
また、サーバ２０Ｂは、これら各船からセンシングされるセンシング結果を、時系列データとして扱うことにより、学習済みモデルを生成する。サーバ２０Ｂは、当該学習済みモデルを用いて、漁業を行う事業者の漁業活動のコンサルティングサービスを提供することとしてもよい。、また、コンサルティングサービスを提供する事業者が、サーバ２０Ｂにより管理される各種センシング結果に基づいて、漁業活動のコンサルティングサービスを提供することとしてもよい。
【０２１０】
＜付記＞
以上の各実施の形態で説明した事項を以下に付記する。
【０２１１】
（付記１）通信端末（１０）であって、通信端末（１０）は、船団で漁業を行う各船（１Ａ、１Ｂ）でセンシングされる情報を各船から受信する情報処理装置（２０）と通信可能であり、船団を構成する船は、センシングを行うために、船の位置を取得する位置情報取得装置（１３）と、魚群探知機（１１）と、ソナー（１２）と、船上の様子を撮影するカメラ（１４）とのうちの少なくともいずれかを備え、通信端末（１０）は、プロセッサと、メモリと、ディスプレイとを備え、プロセッサは、情報処理装置が各船から受け付けたセンシングされる情報を、情報処理装置から受信する第１のステップ（Ｓ５３１）と、受信した情報に基づいて、ディスプレイに、船団の各船の少なくとも一部について当該船でセンシングされる情報とを表示する第２のステップ（Ｓ５３１）と、ディスプレイに表示される各船を指定する操作をユーザから受け付けることにより、当該指定された船でセンシングされる情報を表示する第３のステップ（Ｓ５３２、Ｓ５３３）と、を実行する、通信端末（１０）。
【０２１２】
（付記２）各船でセンシングされた位置情報に基づいて、所定時間帯における各船の航跡を表示する、（付記１）に記載の通信端末。
【０２１３】
（付記３）ディスプレイに表示される各船の航跡上の所定ポイントを指定する操作をユーザから受け付けることにより、当該ポイントに対応する時刻における当該船でセンシングされる情報を表示する、（付記２）に記載の通信端末。
【０２１４】
（付記４）第２のステップにおいて、所定の船を予め指定することにより、当該指定された船について、別の船とは異なるように表示する、（付記１）又は（付記２）に記載の通信端末。
【０２１５】
（付記５）海図上の所定地点を指定することにより、当該地点を、各船でセンシングされた情報と関連付けられて表示する、（付記１）から（付記４）のいずれか一項に記載の通信端末。
【０２１６】
（付記６）所定の船について、当該船の漁獲記録を作成するための操作をユーザから受け付ける、（付記１）に記載の通信端末。
【０２１７】
（付記７）海図において、漁獲記録を行った地点を、別の地点とは異なるように表示する、（付記６）に記載の通信端末。
【０２１８】
（付記８）海図において、漁獲記録を行った時刻から過去所定時間帯における航跡を、別の航跡とは異なるように表示する、（付記６）に記載の通信端末。
【符号の説明】
【０２１９】
１０  通信端末、２０  サーバ、３０Ａ、３０Ｂ  船、１１  魚群探知機、１２  ソナー、１３  位置情報取得装置、１４  カメラ、２８１  船情報データベース、２８１  センシング結果データベース
【要約】      （修正有）【課題】漁業を行う船団内で情報共有を効率的に行いつつ、漁の判断を容易にする技術を提供する。【解決手段】船団を構成する船は、センシングを行うために、船の位置を取得する位置情報取得装置１３と、魚群探知機１１と、ソナー１２と、船上の様子を撮影するカメラ１４とのうちの少なくともいずれかを備える。通信端末１０は、プロセッサと、メモリと、ディスプレイとを備え、プロセッサは、情報処理装置が各船から受け付けたセンシングされる情報を、情報処理装置から受信する第１のステップと、受信した情報に基づいて、ディスプレイに、船団の各船３０Ａ，３０Ｂの少なくとも一部について船でセンシングされる情報とを表示する第２のステップと、ディスプレイに表示される各船を指定する操作をユーザから受け付けることにより、指定された船でセンシングされる情報を表示する第３のステップと、を実行する。【選択図】図１【図１】
0006783006.tif 000002
【図２】
0006783006.tif 000003
【図３】
0006783006.tif 000004
【図４】
0006783006.tif 000005
【図５】
0006783006.tif 000006
【図６】
0006783006.tif 000007
【図７】
0006783006.tif 000008
【図８】
0006783006.tif 000009
【図９】
0006783006.tif 000010
【図１０】
0006783006.tif 000011
【図１１】
0006783006.tif 000012
【図１２】
0006783006.tif 000013
【図１３】
0006783006.tif 000014